(57)【特許請求の範囲】
【請求項１】
複数の照明装置で構成される照明システムであって、
前記複数の照明装置の各々は、発光ダイオードを有する１乃至複数の光源ユニットと、外部電源から供給される電力を電力変換して前記光源ユニットに給電する１乃至複数の電源ユニットと、前記光源ユニットに供給される電力を調整するように前記電源ユニットを制御する制御ユニットとを備え、
前記電源ユニットは、平滑コンデンサと、前記平滑コンデンサが入力側に電気的に接続されるスイッチング電源回路と、前記スイッチング電源回路の動作を制御する制御回路とを有し、
前記制御ユニットは、前記制御回路に対して、前記スイッチング電源回路の出力レベルを指示する制御信号を生成する制御部と、前記電源ユニットの動作に関する情報を記憶する記憶部とを有し、
前記制御回路は、前記スイッチング電源回路の動作を制御して、前記スイッチング電源回路の出力電力を、前記制御信号で指示される出力レベルに対応した値に一致させるように構成され、
前記制御部は、前記光源ユニットの累積点灯時間を計時して前記記憶部に記憶し、前記記憶部に予め記憶されている初期照度補正特性を参照して、前記累積点灯時間に対応した光出力となる前記出力レベルを指示する前記制御信号を生成して前記電源ユニットに出力し、
更に前記制御部は、前記外部電源の投入時において、前記情報に対応した待機時間が経過するまでの間は、ゼロまたはゼロに近い値の前記出力レベルを指示する前記制御信号を生成して前記電源ユニットに出力し、且つ前記待機時間の経過後に、前記累積点灯時間に対応した所定の前記出力レベルを指示する前記制御信号を生成して前記電源ユニットに出力するように構成され、
前記記憶部は、複数の前記照明装置がそれぞれ備える前記電源ユニットの前記情報を記憶するように構成され、前記制御部は、前記記憶部に記憶した複数の前記情報に対応した前記待機時間が経過するまでの間は、ゼロまたはゼロに近い値の前記出力レベルを指示する前記制御信号を生成して前記電源ユニットに出力するように構成されることを特徴とする照明システム。
【請求項２】
前記制御回路は、前記情報を保持し、且つ前記外部電源の投入時に、前記情報を前記制御部に伝達するように構成され、
前記制御部は、前記制御回路から伝達される前記情報を前記記憶部に記憶させるように構成されることを特徴とする請求項１記載の照明システム。
【請求項３】
前記制御部は、前記待機時間の経過後に、前記出力レベルを徐々に増加させるように前記制御信号を生成して前記電源ユニットに出力するように構成されることを特徴とする請求項１又は２記載の照明システム。
【請求項４】
前記制御ユニットは、前記外部電源の給電が停止したときに前記制御部に電源を供給するように構成された非常電源部を有することを特徴とする請求項１〜３の何れか１項に記載の照明システム。
【発明の詳細な説明】
【技術分野】
【０００１】
本発明は、照明システムに関し、特に、ＬＥＤ（発光ダイオード）を光源とする照明装置で構成される照明システムに関する。
【背景技術】
【０００２】
従来例として特許文献１記載の照明器具（照明装置）を例示する。この従来例は、ＬＥＤを光源とし、体育館やホールなどの天井に設置される高天井用の照明器具である。また、この従来例は、家庭やオフィスで使用される照明器具と比較して照射距離（光源から床面までの距離）が遠いため、光出力の大きい光源（ＬＥＤモジュール）と、ＬＥＤモジュールに給電して点灯する電源ユニット（電源装置）とをそれぞれ複数備えている。さらに、この従来例は、各電源ユニットを制御し、電源ユニットから給電される電力を増減することで調光する制御ユニット（制御装置）を備えている。
【先行技術文献】
【特許文献】
【０００３】
【特許文献１】特開２０１４−８９８９２号公報
【発明の概要】
【発明が解決しようとする課題】
【０００４】
ところで、従来例における電源ユニットは、出力段に平滑用の電解コンデンサを有したスイッチング電源回路で構成される。そのため、複数の電源ユニットに同時に電源が投入されたとき、各電源ユニットの電解コンデンサ同士の容量（静電容量）のばらつきに起因して、光源（ＬＥＤモジュール）の点灯タイミングがばらついてしまうことがある。
【０００５】
本発明は、上記課題に鑑みてなされたものであり、複数の光源の点灯タイミングのばらつきを抑制することを目的とする。
【課題を解決するための手段】
【０００６】
本発明の照明システムは、複数の照明装置で構成される照明システムであって、前記複数の照明装置の各々は、発光ダイオードを有する１乃至複数の光源ユニットと、外部電源から供給される電力を電力変換して前記光源ユニットに給電する１乃至複数の電源ユニットと、前記光源ユニットに供給される電力を調整するように前記電源ユニットを制御する制御ユニットとを備え、前記電源ユニットは、平滑コンデンサと、前記平滑コンデンサが入力側に電気的に接続されるスイッチング電源回路と、前記スイッチング電源回路の動作を制御する制御回路とを有し、前記制御ユニットは、前記制御回路に対して、前記スイッチング電源回路の出力レベルを指示する制御信号を生成する制御部と、前記電源ユニットの動作に関する情報を記憶する記憶部とを有し、前記制御回路は、前記スイッチング電源回路の動作を制御して、前記スイッチング電源回路の出力電力を、前記制御信号で指示される出力レベルに対応した値に一致させるように構成され、前記制御部は、前記光源ユニットの累積点灯時間を計時して前記記憶部に記憶し、前記記憶部に予め記憶されている初期照度補正特性を参照して、前記累積点灯時間に対応した光出力となる前記出力レベルを指示する前記制御信号を生成して前記電源ユニットに出力し、更に前記制御部は、前記外部電源の投入時において、前記情報に対応した待機時間が経過するまでの間は、ゼロまたはゼロに近い値の前記出力レベルを指示する前記制御信号を生成して前記電源ユニットに出力し、且つ前記待機時間の経過後に、前記累積点灯時間に対応した所定の前記出力レベルを指示する前記制御信号を生成して前記電源ユニットに出力するように構成され、前記記憶部は、複数の前記照明装置がそれぞれ備える前記電源ユニットの前記情報を記憶するように構成され、前記制御部は、前記記憶部に記憶した複数の前記情報に対応した前記待機時間が経過するまでの間は、ゼロまたはゼロに近い値の前記出力レベルを指示する前記制御信号を生成して前記電源ユニットに出力するように構成されることを特徴とする。
【発明の効果】
【０００８】
本発明の照明システムは、複数の光源の点灯タイミングのばらつきを抑制することができるという効果がある。
【図面の簡単な説明】
【０００９】
【図１】本発明に係る照明装置の実施形態１を示す回路ブロック図である。
【図２】同上におけるデューティ比と出力レベルの関係を説明するための説明図である。
【図３】図３Ａは同上における電源ユニットの動作説明用のタイムチャート、図３Ｂは同上における別の電源ユニットの動作説明用のタイムチャート、図３Ｃは同上における制御ユニットの動作説明用のタイムチャートである。
【図４】図４Ａは同上における電源ユニットの動作説明用のタイムチャート、図４Ｂは同上における制御ユニットの動作説明用のタイムチャートである。
【図５】図５Ａは同上における電源ユニットの動作説明用のタイムチャート、図５Ｂは同上における制御ユニットの動作説明用のタイムチャートである。
【図６】図６Ａは同上における電源ユニットの動作説明用のタイムチャート、図６Ｂは同上における制御ユニットの動作説明用のタイムチャートである。
【図７】図７Ａは同上における別の電源ユニットの動作説明用のタイムチャート、図７Ｂは同上における制御ユニットの動作説明用のタイムチャートである。
【図８】同上の照明装置の別の構成を示す一部省略したブロック図である。
【図９】本発明に係る照明装置の実施形態２における制御ユニットのブロック図である。
【発明を実施するための形態】
【００１０】
以下、体育館やホールなどの建物の天井に設置される高天井用の照明器具（照明装置）及び照明システムに本発明の技術思想を適用した実施形態について、図面を参照して詳細に説明する。ただし、本発明の技術思想が適用可能な照明装置及び照明システムは、本実施形態の高天井用の照明器具及びその照明システムに限定されない。
【００１１】
（実施形態１）
本実施形態の照明装置は、図１に示すように、光源ユニット１、電源ユニット２、制御ユニット３を備える。光源ユニット１は、実装基板に複数個の発光ダイオード（ＬＥＤチップ）が実装されて構成される。これら複数個のＬＥＤチップは、互いに電気的に直列または直並列に接続されることが好ましい。光源ユニット１には正極と負極の２つの入力端子が設けられることが好ましい。
【００１２】
電源ユニット２は、制御回路２０、整流器２１、昇圧チョッパ回路２２、降圧チョッパ回路２３、信号変換回路２４、制御電源回路２５などを備えることが好ましい。整流器２１は、ダイオードブリッジで構成され、商用の交流電源（外部電源）１００から供給される交流電圧・交流電流を全波整流する。
【００１３】
昇圧チョッパ回路２２は、力率の改善を目的とする従来周知の力率改善回路であって、スイッチング素子Ｑ１、インダクタＬ１、ダイオードＤ１、平滑コンデンサＣ１、駆動回路２２０などで構成される。すなわち、インダクタＬ１とダイオードＤ１と平滑コンデンサＣ１の直列回路が整流器２１の脈流出力端子間に電気的に接続され、ダイオードＤ１と平滑コンデンサＣ１の直列回路に対して、スイッチング素子Ｑ１が電気的に並列接続される。スイッチング素子Ｑ１には、例えば、ｎチャネル型のパワーMOSFET（Metal-Oxide-Semiconductor Field-Effect Transistor）が使用されることが好ましい。駆動回路２２０は、スイッチング素子Ｑ１のゲートに駆動信号を与えることでスイッチング素子Ｑ１をオン・オフ（スイッチング）するように構成される。さらに、駆動回路２２０は、平滑コンデンサＣ１の両端電圧を監視し、当該両端電圧を目標値（外部電源１００の電源電圧の実効値よりも充分に高い電圧）に一致させるように、スイッチング素子Ｑ１をＰＷＭ制御するように構成される。ただし、このような昇圧チョッパ回路２２は従来周知であるから、詳細な動作の説明は省略する。
【００１４】
降圧チョッパ回路２３は、昇圧チョッパ回路２２から入力する直流電圧・直流電流を、光源ユニット１に適した直流電圧・直流電流に降圧（電力変換）するＤＣ／ＤＣコンバータである。また、降圧チョッパ回路２３は、スイッチング素子Ｑ２、インダクタＬ２、ダイオードＤ２、平滑コンデンサＣ２などで構成されることが好ましい。すなわち、平滑コンデンサＣ２とインダクタＬ２とスイッチング素子Ｑ２の直列回路が昇圧チョッパ回路２２の出力端子間に電気的に接続され、平滑コンデンサＣ２とインダクタＬ２の直列回路に対して、ダイオードＤ２が電気的に並列接続される。スイッチング素子Ｑ２には、例えば、ｎチャネル型のパワーMOSFETが使用されることが好ましい。なお、スイッチング素子Ｑ２は、制御回路２０によってオン・オフ（スイッチング）される。また、平滑コンデンサＣ２の高電位側の端子が光源ユニット１の正極側の入力端子と電気的に接続され、平滑コンデンサＣ２の低電位側の端子が光源ユニット１の負極側の入力端子と電気的に接続される。ただし、このような降圧チョッパ回路２３は従来周知であるから、詳細な動作の説明は省略する。
【００１５】
信号変換回路２４は、後述するように、制御ユニット３から与えられる制御信号（ＰＷＭ信号）を直流の電圧信号に変換して制御回路２０に出力するように構成されることが好ましい。なお、信号変換回路２４から出力される電圧信号の信号レベル（直流電圧レベル）は、制御信号で指示される出力レベル（調光レベル）に対応している。
【００１６】
制御電源回路２５は、外部電源１００の交流入力電圧から制御電圧（例えば、１５ボルトの直流電圧）Ｖccを作成するように構成される。制御電源回路２５で作成される制御電圧Ｖccは、制御回路２０に供給されるとともに、電源ユニット２と制御ユニット３を繋ぐ２本の電源線を介して制御ユニット３にも供給される。なお、２本の電源線のうちのグランド側の電源線は、制御ユニット３から制御信号が伝送される２本の伝送線のグランド側の伝送線と共用されることが好ましい。
【００１７】
制御回路２０は、スイッチング素子Ｑ２のゲートに与える駆動信号をＰＷＭ制御することにより、インダクタＬ２に流れる電流を目標値に一致させるように構成されることが好ましい。また、制御回路２０は、前記目標値を、信号変換回路２４から出力される電圧信号の信号レベル（調光レベル）に対応した値に調整することが好ましい。さらに、制御回路２０は、Ｉ２Ｃ（アイ・スクエア・シー）などのシリアル通信用のインタフェースを備えることが好ましい。なお、このような制御回路２０は、例えば、市販されている調光機能付きのＬＥＤ照明用コントロールＩＣ、あるいは、マイクロコントローラで構成されることが好ましい。
【００１８】
制御ユニット３は、制御部３０と記憶部３１を備える。また、制御ユニット３は、第１電源回路３２と第２電源回路３３を備えることが好ましい。第１電源回路３２は、電源線を介して電源ユニット２から供給される制御電圧Ｖccを安定化するように構成される。第２電源回路３３は、第１電源回路３２で安定化された制御電圧Ｖccから、低電圧（例えば、５ボルト）の直流電圧を作成するように構成される。第２電源回路３３で作成される直流電圧は、制御部３０に供給される。
【００１９】
制御部３０は、例えば、マイクロコントローラで構成されることが好ましい。制御部３０は、第２電源回路３３から供給される直流電圧で動作し、後述する種々の処理を実行するように構成されることが好ましい。また、制御部３０は、電源ユニット２の制御回路２０が備えるシリアル通信用のインタフェースと共通のインタフェースを備え、２本の信号線を介して、制御回路２０との間でシリアル通信を行うように構成されることが好ましい。記憶部３１は、フラッシュメモリなどの電気的に書換可能な不揮発性の半導体メモリで構成されることが好ましい。
【００２０】
ところで、本実施形態における制御部３０は、初期照度補正機能を搭載している。初期照度補正機能とは、光源ユニット１の使用開始から寿命末期までの間、光源ユニット１の光出力をほぼ一定（例えば、定格の８５％）に保つように、光源ユニット１の累積点灯時間に対応して光出力を調整する機能である。すなわち、制御部３０は、マイクロコントローラに内蔵されているタイマで光源ユニット１の累積点灯時間を計時して記憶部３１に記憶し、且つ記憶部３１に予め記憶されている初期照度補正特性を参照して、累積点灯時間に対応した調光レベルを決定する。ここで、初期照度補正特性は、累積点灯時間が増加するにしたがって、調光レベル（定格の光出力を１００％としたときの割合）を徐々に増加させるような特性である。
【００２１】
さらに、制御部３０は、調光レベル（出力レベル）に対応するデューティ比のＰＷＭ（パルス幅変調）信号を生成し、当該ＰＷＭ信号（制御信号）を伝送線を介して電源ユニット２に伝送する。ここで、調光レベル、すなわち、電源ユニット２が光源ユニット１に供給する直流電力の出力レベルと、ＰＷＭ信号のデューティ比との関係を図２に示す。図２に示すように、デューティ比が０〜５［％］のときに調光レベル（出力レベル）を１００［％］とし、且つデューティ比が９８［％］以上（ただし、１００［％］を除く。）のときに調光レベル（出力レベル）を５［％］（下限値）とする。そして、デューティ比が５〜９８［％］のとき、調光レベル（出力レベル）は、デューティ比の増加に対して一定の割合で減少する。したがって、電源ユニット２の信号変換回路２４から出力される電圧信号の信号レベルは、調光レベル（出力レベル）の下限値（５［％］）で最大となり、且つ調光レベル（出力レベル）の定格値で最小となる。ただし、図２に示した関係は一例であって、調光レベル（出力レベル）とデューティ比との関係は、図２に示した関係に限定されない。
【００２２】
電源ユニット２の制御回路２０は、信号変換回路２４から出力される電圧信号の信号レベルが最大値のときに降圧チョッパ回路２３の出力を下限値とし、前記信号レベルが最小値のときに降圧チョッパ回路２３の出力を定格値とするように構成される。また、制御回路２０は、原則として、前記信号レベルがゼロのときは降圧チョッパ回路２３の出力を定格値とすることが好ましい。ただし、外部電源１００が投入された直後は、昇圧チョッパ回路２２の出力電圧が定格電圧に達していないため、降圧チョッパ回路２３の出力電圧が安定しない。そのため、制御回路２０は、外部電源１００の投入時から所定時間（以下、準備期間と呼ぶ。）が経過するまでの間、制御信号を受け付けず且つ降圧チョッパ回路２３を停止することが好ましい。つまり、準備期間中は電源ユニット２からの給電が行われないため、光源ユニット１が消灯状態に維持される。そして、準備期間が経過して昇圧チョッパ回路２２の出力電圧が安定すれば、制御回路２０は、降圧チョッパ回路２３を動作させて制御信号に対応した出力レベルの直流電力を光源ユニット１に供給させる。その結果、光源ユニット１は、制御信号で指示される調光レベルで点灯する。
【００２３】
しかしながら、昇圧チョッパ回路２２の平滑コンデンサＣ１に用いられる電解コンデンサは、静電容量が大きい程、許容誤差も大きく（例えば、±２０％）なる。そして、外部電源１００の投入時点から昇圧チョッパ回路２２の出力電圧が安定するまでに要する時間は、平滑コンデンサＣ１の静電容量の影響が大きいため、個々の電源ユニット２毎にばらついてしまう。特に、定格が同一であり且つ品番の異なる複数種類の電源ユニット２において、平滑コンデンサＣ１に使用される電解コンデンサが異なれば静電容量の許容誤差も異なる。
【００２４】
そこで、本実施形態の照明装置では、電源ユニット２の品番を示す情報（例えば、アルファベットと数字の組み合わせなど）を制御回路２０に保持させることが好ましい。また、本実施形態の照明装置では、制御ユニット３の記憶部３１に、品番と準備期間との対応関係を示す情報（データテーブル）を記憶させることが好ましい。さらに、制御ユニット３の制御部３０は、外部電源１００の投入時に、シリアル通信によって制御回路２０が保持する情報（品番）を取得して記憶部３１に記憶させることが好ましい。ここで、同じ照明空間を照明するように設置された複数台の照明装置で本実施形態の照明システムが構成される。この照明システムにおいて、各照明装置の制御ユニット３の制御部３０は、他の全ての照明装置の制御ユニット３の制御部３０とシリアル通信を行い、当該全ての照明装置の制御部３０が保持する情報（品番）を取得して記憶部３１に記憶させることが好ましい。そして、各照明装置の制御ユニット３の制御部３０は、前記データテーブルを参照し、記憶部３１に記憶した情報（品番）に対応する準備期間を読み出す。さらに、制御部３０は、読み出した全ての準備期間の中で最長の準備期間を選択し、且つ選択した準備期間を初期値として記憶部３１に記憶させることが好ましい。
【００２５】
次に、本実施形態の照明装置及び照明システムの動作について、図３Ａ〜図３Ｃのタイムチャートを参照して詳細に説明する。以下の説明において、電源ユニット２には２種類の品番（品番１と品番２）が存在し、品番１の電源ユニット２の準備期間Ｔ１よりも、品番２の電源ユニット２の準備期間Ｔ２の方が長い（Ｔ１＜Ｔ２）とする。図３Ａは、品番１の電源ユニット２の制御回路２０が降圧チョッパ回路２３の出力レベルを増減するときのタイムチャートを示し、図３Ｂは、品番２の電源ユニット２の制御回路２０が降圧チョッパ回路２３の出力レベルを増減するときのタイムチャートを示す。図３Ｃは、品番１の電源ユニット２を制御する制御ユニット３、並びに品番２の電源ユニット２を制御する制御ユニット３のそれぞれ制御部３０が制御信号を生成するときのタイムチャートを示す。ただし、図３Ａ及び図３Ｂの縦軸は出力レベル（定格出力を１００％としたときの割合）を示し、図３Ｃの縦軸は制御信号のデューティ比を示す。また、図３Ａ〜図３Ｃの横軸は時刻ｔを示す。なお、以下の説明では、全ての照明装置の制御ユニット３において、既に品番２の電源ユニット２の準備期間Ｔ２が初期値として記憶部３１に記憶されていると仮定する。
【００２６】
時刻ｔ＝ｔ０に外部電源１００が投入されると、各照明装置において、電源ユニット２の制御電源回路２５が動作を開始する。制御電源回路２５は、時刻ｔ＝ｔ１以降、制御電圧Ｖccを供給することができる。制御電圧Ｖccが供給され始めると、各照明装置において、昇圧チョッパ回路２２、制御回路２０及び制御ユニット３が動作を開始する。制御ユニット３の制御部３０は、時刻ｔ＝ｔ１からの経過時間をカウント（計時）し、且つデューティ比を１００％としたＰＷＭ信号（制御信号）を生成して電源ユニット２に伝送する。
【００２７】
一方、電源ユニット２の制御回路２０は、時刻ｔ＝ｔ１になると、準備期間Ｔ２に相当する時間（準備期間Ｔ２から制御電源回路２５の動作が安定するまでの時間ｔ０〜ｔ１を引いた時間。以下、同じ。）のカウントダウン（限時）を開始する。また、制御回路２０は、準備期間Ｔ２に相当する時間をカウントダウンしている間、制御ユニット３から伝送される制御信号を受け付けず、且つ降圧チョッパ回路２３を動作させない。故に、光源ユニット１は消灯したままとなる。
【００２８】
制御部３０は、前記経過時間が準備期間Ｔ２に相当する時間に達すると（時刻ｔ＝ｔ３）、デューティ比を１５％としたＰＷＭ信号（制御信号）を生成して電源ユニット２に伝送する。ただし、このときのデューティ比の値は、初期照度補正特性に応じて、制御部３０により決定される。
【００２９】
電源ユニット２の制御回路２０は、準備期間Ｔ２に相当する時間のカウントダウンが終了すると（時刻ｔ＝ｔ３）、信号変換回路２４で変換された電圧信号（制御信号）の信号レベルから、指示されている出力レベル（調光レベル）を判断する。つまり、制御回路２０は、デューティ比が１５％であるから、出力レベル（調光レベル）を８０％と判断し、インダクタＬ２に流れる電流の大きさが定格値の８０％となるようにスイッチング素子Ｑ２を制御する。その結果、全ての照明装置の光源ユニット１は、時刻ｔ＝ｔ３から８０％の調光レベルで点灯する。
【００３０】
ここで、品番１の電源ユニット２に制御ユニット３から制御信号が伝送されない場合を考える。この場合、品番１の電源ユニット２の制御回路２０は、時刻ｔ＝ｔ２の時点、すなわち、時刻ｔ＝ｔ０からの経過時間が品番１の電源ユニット２の準備期間Ｔ１に達した時点で、降圧チョッパ回路２３を動作させて光源ユニット１を定格点灯させてしまう。
【００３１】
しかしながら、本実施形態の照明装置では、品番１の電源ユニット２の制御回路２０は、時刻ｔ＝ｔ２からｔ＝ｔ３までの間、制御信号によって出力レベルをゼロとするように指示される。そのため、品番１の電源ユニット２に電気的に接続されている光源ユニット１も、時刻ｔ＝ｔ３に達するまで消灯状態に維持される。
【００３２】
したがって、品番（準備期間）の異なる複数種類の電源ユニット２が混在している照明装置及び照明システムであっても、外部電源１００の投入時点から所定時間（準備期間Ｔ２）が経過した時点で全ての照明装置を一斉に点灯させることができる。つまり、本実施形態の照明装置及び照明システムは、複数の光源（光源ユニット１）の点灯タイミングのばらつきを抑制することができる。
【００３３】
ところで、品番１の電源ユニット２は、時刻ｔ＝ｔ２から時刻ｔ＝ｔ３までの間、制御ユニット３からの指示（消灯指示）によって光源ユニット１への出力を停止している。この場合、時刻ｔ＝ｔ３に制御ユニット３から制御信号を受け取っても、光源ユニット１への出力をゼロから制御信号で指示される出力レベルとするまでに若干の時間を要することがある。そこで、制御ユニット３の制御部３０は、図４Ｂに示すように、時刻ｔ＝ｔ２から時刻ｔ＝ｔ３までの間、デューティ比を９８％（出力レベルを下限値とする値）としたＰＷＭ信号を生成して品番１の電源ユニット２に伝送することが好ましい。
【００３４】
一方、品番１の電源ユニット２の制御回路２０は、時刻ｔ＝ｔ２を過ぎると制御ユニット３の制御信号を受け取り、当該制御信号で指示される出力レベル（下限値の５％）とするように降圧チョッパ回路２３を制御する（図４Ａ参照）。つまり、品番１の電源ユニット２は、時刻ｔ＝ｔ２から時刻ｔ＝ｔ３までの間、光源ユニット１を調光レベルの下限値（５％）で点灯させる。また、品番１の電源ユニット２は、時刻ｔ＝ｔ３以降、品番２の電源ユニット２と同じ調光レベルで光源ユニット１を点灯させる。このようにすれば、品番１の電源ユニット２が時刻ｔ＝ｔ３で光源ユニット１を点灯させる際のタイムラグを短縮することができる。また、品番１の電源ユニット２は、時刻ｔ＝ｔ２から時刻ｔ＝ｔ３までの間、調光レベルの下限値で光源ユニット１を点灯させるので、時刻ｔ＝ｔ３に全ての光源ユニット１が点灯したときに、照明空間に居る人に違和感を感じさせ難くできる。
【００３５】
また、照明空間に居る人に、より違和感を感じさせ難くするため、本実施形態の照明装置における制御ユニット３は、光源ユニット１を点灯させる際、電源ユニット２に対して、出力レベル（調光レベル）を徐々に上昇させることが好ましい。例えば、図５Ｂに示すように、制御ユニット３の制御部３０は、時刻ｔ＝ｔ３から時刻ｔ＝ｔ４までの間、デューティ比を１００％から１５％まで一定の割合（例えば、１０％毎秒）で減少させたデューティ比のＰＷＭ信号を生成することが好ましい。これにより、各電源ユニット２の制御回路２０は、図５Ａに示すように、出力レベルをゼロから８０％まで一定の割合（例えば、１０％毎秒）で増大させるように降圧チョッパ回路２３を制御することが好ましい。このように全ての照明装置において、光源ユニット１の光量が徐々に増大すれば、照明空間に居る人に、より違和感を感じさせ難くすることができる。
【００３６】
ただし、品番１の電源ユニット２を制御する制御ユニット３の制御部３０は、図６Ｂに示すように、時刻ｔ＝ｔ２から時刻ｔ＝ｔ３までの間、デューティ比を９８％としたＰＷＭ信号を生成して品番１の電源ユニット２に伝送することが好ましい。さらに、この制御部３０は、時刻ｔ＝ｔ３から時刻ｔ＝ｔ４までの間、デューティ比を９８％から１５％まで一定の割合（例えば、１０％毎秒）で減少させたデューティ比のＰＷＭ信号を生成することが好ましい。これにより、品番１の電源ユニット２の制御回路２０は、図６Ａに示すように、時刻ｔ＝ｔ２から時刻ｔ＝ｔ３までの間、出力レベルを５％とするように降圧チョッパ回路２３を制御することが好ましい。さらに、品番１の電源ユニット２の制御回路２０は、時刻ｔ＝ｔ３から時刻ｔ＝ｔ４までの間、出力レベルを５％から８０％まで一定の割合（例えば、１０％毎秒）で増大させるように降圧チョッパ回路２３を制御することが好ましい。
【００３７】
一方、品番２の電源ユニット２を制御する制御ユニット３の制御部３０は、図７Ｂに示すように、時刻ｔ＝ｔ１から時刻ｔ＝ｔ３までの間、デューティ比を１００％としたＰＷＭ信号を生成して品番１の電源ユニット２に伝送することが好ましい。さらに、この制御部３０は、時刻ｔ＝ｔ３から時刻ｔ＝ｔ４までの間、デューティ比を９８％から１５％まで一定の割合（例えば、１０％毎秒）で減少させたデューティ比のＰＷＭ信号を生成することが好ましい。これにより、品番２の電源ユニット２の制御回路２０は、図７Ａに示すように、時刻ｔ＝ｔ１から時刻ｔ＝ｔ３までの間、降圧チョッパ回路２３を停止させることが好ましい。さらに、品番２の電源ユニット２の制御回路２０は、時刻ｔ＝ｔ３から時刻ｔ＝ｔ４までの間、出力レベルを５％から８０％まで一定の割合（例えば、１０％毎秒）で増大させるように降圧チョッパ回路２３を制御することが好ましい。
【００３８】
このように品番１の電源ユニット２及び品番２の電源ユニット２の何れもが、光源ユニット１の光量を同じタイミング且つ同じ割合（傾き）で増大すれば、照明空間に居る人に、より違和感を感じさせ難くすることができる。
【００３９】
ところで、本実施形態の照明装置は、図８に示すように、光源ユニット１と電源ユニット２の組を複数（図示例では２つ）備えても構わない。各電源ユニット２は、整流器２１、昇圧チョッパ回路２２、降圧チョッパ回路２３を各別に備えることが好ましい。また、何れか１つの電源ユニット２が制御回路２０を備え、残り１つ又は複数の電源ユニット２は制御回路２０を備えず、前記１つの電源ユニット２が備える制御回路２０に制御されるように構成されることが好ましい。ただし、図８では信号変換回路２４及び制御電源回路２５の図示を省略している。
【００４０】
制御回路２０は、２つの電源ユニット２の品番を記憶している。そして、制御回路２０は、外部電源１００の投入時、シリアル通信によって２つの電源ユニット２の品番を制御ユニット３に伝送することが好ましい。制御ユニット３の制御部３０は、２つの電源ユニット２の品番に対応した準備期間Ｔ１、Ｔ２が互いに異なる場合（Ｔ１＜Ｔ２）、相対的に長い方の準備期間Ｔ２を初期値として記憶部３１に記憶することが好ましい。そして、制御部３０は、外部電源１００の投入時点から準備期間Ｔ２が経過するまでの間、デューティ比を１００％とするＰＷＭ信号を生成し、準備期間Ｔ２の経過後にデューティ比を１５％とするＰＷＭ信号を生成することが好ましい。制御回路２０は、制御ユニット３の制御部３０から伝送されるＰＷＭ信号を受け取り、外部電源１００の投入時点から準備期間Ｔ２が経過するまでは２つの電源ユニット２を停止させ、準備期間Ｔ２が経過したら、８０％の出力レベルで動作させることが好ましい。
【００４１】
本実施形態の照明装置が上述のように構成されれば、１台の照明装置が備える複数の電源ユニット２の出力の立ち上がりのばらつきを緩和し、複数の光源ユニット１の点灯タイミングのばらつきを抑制することができる。
【００４２】
上述のように本実施形態の照明装置は、発光ダイオードを有する１乃至複数の光源ユニット１と、外部電源１００から供給される電力を電力変換して光源ユニット１に給電する１乃至複数の電源ユニット２とを備える。また、本実施形態の照明装置は、光源ユニット１に供給される電力を調整するように電源ユニット２を制御する制御ユニット３を備える。電源ユニット２は、平滑コンデンサＣ１と、平滑コンデンサＣ１が入力側に電気的に接続されるスイッチング電源回路（降圧チョッパ回路２３）と、スイッチング電源回路の動作を制御する制御回路２０とを有する。制御ユニット３は、制御回路２０に対して、スイッチング電源回路の出力レベルを指示する制御信号を生成する制御部３０と、電源ユニット２の動作に関する情報を記憶する記憶部３１とを有する。制御回路２０は、スイッチング電源回路の動作を制御して、スイッチング電源回路の出力電力を、制御信号で指示される出力レベルに対応した値に一致させるように構成される。制御部３０は、外部電源１００の投入時において、前記情報に対応した待機時間（準備期間Ｔ２）が経過するまでの間は、ゼロまたはゼロに近い値の前記出力レベルを指示する前記制御信号を生成して電源ユニット２に出力するように構成される。且つ、制御部３０は、外部電源１００の投入時において、前記待機時間の経過後に、ゼロではない所定の前記出力レベルを指示する前記制御信号を生成して電源ユニット２に出力するように構成される。
【００４３】
また、本実施形態の照明システムは、複数の照明装置で構成される。複数の照明装置において、記憶部３１は、複数の照明装置がそれぞれ備える電源ユニット２の前記情報（品番）を記憶するように構成される。制御部３０は、記憶部３１に記憶した複数の前記情報（品番）に対応した前記待機時間（準備期間Ｔ１、Ｔ２）が経過するまでの間は、ゼロまたはゼロに近い値の前記出力レベルを指示する前記制御信号を生成して電源ユニット２に出力するように構成される。
【００４４】
本実施形態の照明装置及び照明システムは上述のように構成され、電源ユニット２の出力の立ち上がりのばらつきを緩和することにより、光源（光源ユニット１）の点灯タイミングのばらつきを抑制することができる。
【００４５】
また、本実施形態の照明装置及び照明システムにおいて、制御回路２０は、前記情報を保持し、且つ外部電源１００の投入時に、前記情報を制御部３０に伝達するように構成されることが好ましい。また、本実施形態の照明装置及び照明システムにおいて、制御部３０は、制御回路２０から伝達される前記情報を記憶部３１に記憶させるように構成されることが好ましい。
【００４６】
本実施形態の照明装置及び照明システムが上述のように構成されれば、人の手を介さず且つ自動的に前記情報を伝達し合うことができる。
【００４７】
また、本実施形態の照明装置及び照明システムにおいて、制御部３０は、前記待機時間の経過後に、前記出力レベルを徐々に増加させるように前記制御信号を生成して電源ユニット２に出力するように構成されることが好ましい。
【００４８】
本実施形態の照明装置及び照明システムが上述のように構成されれば、光源（光源ユニット１）の点灯タイミングのばらつきに起因した違和感を、照明空間に居る人に感じさせ難くできる。
【００４９】
（実施形態２）
本実施形態の照明装置は、制御ユニット３の構成に特徴があり、その他の光源ユニット１及び電源ユニット２の構成は実施形態１と共通である。よって、実施形態１と共通の構成要素には同一の符号を付し、図示及び説明を適宜省略する。
【００５０】
本実施形態における制御ユニット３は、図９に示すように、制御部３０、記憶部３１、第１電源回路３２、第２電源回路３３に加えて、設定部３４、非常電源部３５、停電検知部３６を備えることが好ましい。
【００５１】
設定部３４は、スライドディップスイッチやロータリディップスイッチのように、複数の接点を択一的に切り替えることができるデバイスで構成されることが好ましい。すなわち、設定部３４は、前記デバイス（例えば、ロータリディップスイッチ）を用いて、全ての電源ユニット２の品番が予め設定されることが好ましい。制御部３０は、設定部３４の設定（スライドディップスイッチやロータリディップスイッチの状態）を読み取って記憶部３１に記憶し、さらに、各品番に対応した準備期間のうちで最も長い準備期間を初期値として記憶部３１に記憶することが好ましい。
【００５２】
非常電源部３５は、電気二重層コンデンサなどの蓄電素子、若しくはリチウムイオン電池などの蓄電池を有し、外部電源１００からの給電によって充電され、且つ外部電源１００の停電時に第２電源回路３３に給電するように構成されることが好ましい。
【００５３】
停電検知部３６は、第１電源回路３２から第２電源回路３３への出力電圧を監視し、前記出力電圧が所定の下限値を下回ったときに停電検知信号を制御部３０に出力するように構成されることが好ましい。例えば、停電検知部３６は、第２電源回路３３の出力電圧を分圧する分圧抵抗と、分圧された出力電圧と基準電圧を比較するコンパレータとで構成され、出力電圧が基準電圧を下回るとハイレベルの停電検知信号を出力することが好ましい。
【００５４】
制御部３０は、記憶部３１に準備期間の初期値が記憶されていない場合、設定部３４の設定（品番）を読み取り、且つ読み取った品番に対応する準備期間のうちで最も長い準備期間を初期値として記憶部３１に記憶することが好ましい。
【００５５】
また、制御部３０は、停電検知部３６から停電検知信号が入力されると、非常電源部３５から給電されて動作を継続し、タイマでカウントしている累積点灯時間のデータを記憶部３１に記憶することが好ましい。
【００５６】
さらに、制御部３０は、外部電源１００の投入時及び長時間の停電からの復帰時には、実施形態１で説明したように、準備期間に相当する時間の経過後に出力レベルを徐々に上昇させるように電源ユニット２を制御することが好ましい。また、制御部３０は、非常電源部３５の給電期間中に停電検知信号が入力されなくなった場合、準備期間に相当する時間の経過後、直ちに出力レベルを上昇させるように電源ユニット２を制御することが好ましい。すなわち、外部電源１００に瞬時停電が発生した場合、各照明装置は、徐々に光量を上昇させるよりも、速やかに停電前の光量に復帰することが望ましい。
【００５７】
上述のように本実施形態の照明装置及び照明システムにおいて、制御ユニット３は、外部電源１００の給電が停止したときに制御部３０に電源を供給するように構成された非常電源部３５を有することが好ましい。
【００５８】
本実施形態の照明装置及び照明システムが上述のように構成されれば、制御ユニット３の制御部３０は、外部電源１００からの給電が停止した後も非常電源部３５から電源が供給されるために動作を継続することができる。
【００５９】
なお、本実施形態において、制御ユニット３の設定部３４は、ワイヤレス発信器から送信されるワイヤレス信号を受信し、当該ワイヤレス信号で伝送される電源ユニット２の情報（品番）を制御部３０に渡すように構成されても構わない。また、設定部３４は、ワイヤレス信号の送信部を備え、前記情報を取得したことをワイヤレス信号でワイヤレス発信器に返信するように構成されることが好ましい。ただし、ワイヤレス信号は、電波や赤外線を媒体とする信号であることが好ましい。
【符号の説明】
【００６０】
１  光源ユニット
２  電源ユニット
３  制御ユニット
２０  制御回路
２３  降圧チョッパ回路（スイッチング電源回路）
３０  制御部
３１  記憶部
３５  非常電源部
１００  外部電源
【図１】
0006534090.tif 000002
【図２】
0006534090.tif 000003
【図３】
0006534090.tif 000004
【図４】
0006534090.tif 000005
【図５】
0006534090.tif 000006
【図６】
0006534090.tif 000007
【図７】
0006534090.tif 000008
【図８】
0006534090.tif 000009
【図９】
0006534090.tif 000010